(57)【要約】【課題】施工者が現場で水回り商品を施工する際に組情報を知るための手間を省く。【解決手段】水回り商品を構成する複数の種類の器具のうち少なくとも２種類の器具に係る情報を組み合わせた組情報を前記水回り商品毎に記憶した記憶部と、携帯端末と通信するための通信部と、を備えるサーバ装置を、携帯端末から、任意の種類の器具を示す第１識別情報を受信した場合に第１識別情報を受け付け、第１識別情報が示す器具とは異なる種類の器具を示す第２識別情報の入力を受け付け、且つ、組情報の第１検索要求を受け付ける受付手段、受付手段が第１検索要求を受け付けた場合、記憶部に記憶されている組情報の中から第１識別情報と第２識別情報とにそれぞれ関連する組情報を検索する検索手段、及び、検索手段で検索された組情報を、携帯端末に送信する送信手段、として機能させるためのプログラム。【選択図】  図６
2016024695.tif 000002
【特許請求の範囲】
【請求項１】
水回り商品を構成する複数の種類の器具のうち少なくとも２種類の器具に係る情報を組み合わせた組情報を前記水回り商品毎に記憶した記憶部と、携帯端末と通信するための通信部と、を備えるサーバ装置を、
前記通信部を介して前記携帯端末から、前記器具のうち任意の種類の器具を示す第１識別情報を受信した場合に前記第１識別情報を受け付け、前記第１識別情報が示す器具とは異なる種類の器具を示す第２識別情報の入力を受け付け、且つ、前記組情報の第１検索要求を受け付ける受付手段、
前記受付手段が前記第１検索要求を受け付けた場合、前記記憶部に記憶されている組情報の中から前記第１識別情報と前記第２識別情報とにそれぞれ関連する組情報を検索する検索手段、及び、
前記検索手段で検索された前記組情報を、前記通信部を介して前記携帯端末に送信する送信手段、
として機能させるためのプログラム。
【請求項２】
前記検索手段は、前記受付手段が前記第１識別情報を受け付けた場合、前記送信手段に対して前記第１識別情報に応じたメニュー画面に係る情報を送信させ、前記メニュー画面において前記第１検索要求を行うメニューが選択された場合に、前記入力として前記第２識別情報を受信してそれを受け付け、且つ、前記第１検索要求を受け付ける、
請求項１に記載のプログラム。
【請求項３】
前記組情報は、衛生陶器に係る情報を含む、
請求項１又は請求項２に記載のプログラム。
【請求項４】
前記組情報は、前記少なくとも２種類の器具のセット図を含む、
請求項１乃至請求項３の何れか１項に記載のプログラム。
【請求項５】
前記記憶部には、水回り商品を構成する複数の種類の器具それぞれの個別情報が記憶されており、
前記受付手段は、前記送信手段が前記組情報を送信した後に、前記携帯端末から前記組情報に関する器具の第２検索要求を受け付け、
前記検索手段は、前記記憶部に記憶されている前記個別情報の中から前記受付手段が受け付けた前記第２検索要求に対応する個別情報を検索し、
前記送信手段は、前記検索手段で検索された前記個別情報を、前記通信部を介して前記携帯端末に送信する、
請求項１乃至請求項４の何れか１項に記載のプログラム。
【請求項６】
前記受付手段は、前記送信手段で前記個別情報が送信された後に、前記携帯端末から前記組情報の再送信要求を受け付け、
前記送信手段は、前記受付手段が前記再送信要求を受け付けた場合、前記検索手段で検索された前記組情報を、前記通信部を介して前記携帯端末に再度送信する、
請求項５に記載のプログラム。
【請求項７】
前記サーバ装置をさらに、
前記検索手段が前記記憶部に記憶されている組情報の中から前記第１識別情報と前記第２識別情報とにそれぞれ関連する組情報を検索した結果、前記関連する組情報が前記憶部に記憶されていなかった場合、前記サーバ装置の管理者に通知する通知部、
として実現させる請求項１乃至請求項６の何れか１項に記載のプログラム。
【請求項８】
前記サーバ装置をさらに、
前記受付手段が前記携帯端末から前記水回り商品の組み立て順序の作成要求を受け付けた場合、前記第１識別情報及び前記第２識別情報からこれらに対応する前記個別情報に基づき、前記水回り商品の組み立て又は解体の順序を作成する作成手段、
として実現させ、
前記送信手段は、前記作成手段で作成された順序を、前記通信部を介して前記携帯端末に送信する、
請求項５又は請求項６に記載のプログラム。
【請求項９】
前記送信手段はさらに、前記検索手段で検索された前記組情報を、予め登録された宛先に送信する、
請求項１乃至請求項８の何れか１項に記載のプログラム。
【請求項１０】
水回り商品を構成する複数の種類の器具のうち少なくとも２種類の器具に係る情報を組み合わせた組情報を前記水回り商品毎に記憶した記憶手段と、
前記携帯端末から、前記器具のうち任意の種類の器具を示す第１識別情報を受信した場合に前記第１識別情報を受け付け、前記第１識別情報が示す器具とは異なる種類の器具を示す第２識別情報の入力を受け付け、且つ、前記組情報の第１検索要求を受け付ける受付手段、
前記受付手段が前記第１検索要求を受け付けた場合、前記記憶部に記憶されている組情報の中から前記第１識別情報と前記第２識別情報とにそれぞれ関連する組情報を検索する検索手段と、
前記検索手段で検索された前記組情報を、前記携帯端末に送信する送信手段と、
を備えるサーバ装置。
【請求項１１】
携帯端末とサーバ装置とを備える検索システムであって、
前記携帯端末は、
１次元以上のコードを読み取る読取手段と、
前記読取手段で読み取られた前記コードを前記サーバ装置に送信し、前記サーバ装置から送信結果を受信する通信手段と、
前記通信手段で受信した前記送信結果を表示する表示手段と、を備え、
前記サーバ装置は、
水回り商品を構成する複数の種類の器具のうち少なくとも２種類の器具に係る情報を組み合わせた組情報を前記水回り商品毎に記憶した記憶手段と、
前記携帯端末において前記読取手段で前記器具のうち任意の種類の器具の第１識別情報を示すコードが読み取られた場合、前記通信手段から前記第１識別情報を受信し、前記第１識別情報が示す器具とは異なる種類の器具の第２識別情報を示すコードが読み取られた場合、前記通信手段から前記第２識別情報を受信する受信手段と、
前記記憶手段に記憶されている組情報の中から前記受信手段が受信した前記第１識別情報と前記第２識別情報とにそれぞれ関連する組情報を検索する検索手段と、
前記検索手段で検索された前記組情報を前記携帯端末に送信する送信手段と、を備える、
検索システム。
【請求項１２】
表示手段、通信手段、及び１次元以上のコードを読み取る読取手段を備える携帯端末に対して、
水回り商品を構成する複数の種類の器具のうち任意の種類の器具の第１識別情報を示すコードが前記読取手段により読み取られた場合に、前記第１識別情報に応じたメニュー画面を、前記表示手段に表示する第１ステップと、
前記メニュー画面において水回り商品を構成する複数の種類の器具のうち少なくとも２種類の器具に係る情報を組み合わせた組情報の検索要求を行うメニューが選択された場合に、前記組情報のうち前記第１識別情報に関連する組情報を検索するための第１検索画面を前記表示手段に表示する第２ステップと、
前記検索画面を介して、前記第１識別情報が示す器具とは異なる種類の器具の第２識別情報を示すコードが前記読取手段により読み取られた場合に、前記第１識別情報と前記第２識別情報とにそれぞれ関連する前記組情報を検索するための第２検索画面を前記表示手段に表示する第３ステップと、
前記第２検索画面において検索ボタンが押下された場合に、前記第１識別情報と前記第２識別情報と前記組情報の検索要求とを、前記通信手段を介してサーバ装置に送信する第４ステップと、
前記通信手段が前記サーバ装置から前記組情報の検索結果を受信した場合に、前記検索結果を前記表示手段に表示する第５ステップと、
を実行させる前記携帯端末のプログラム。
【発明の詳細な説明】
【技術分野】
【０００１】
本発明は、プログラム、サーバ装置、検索システム及び携帯端末のプログラムに関する。
【背景技術】
【０００２】
従来から、水回り商品として、便器とタンクと便座等で構成されたトイレ装置や、流し台と水栓装置と化粧鏡等で構成される洗面化粧台、流し台と水栓装置と棚等で構成されるシステムキッチン等、複数の種類の器具が現場で組み合わされて構成されるものがある。
【０００３】
このような水回り商品を現場で施工する際に器具の組み合わせに疑義等が生じた場合には、当該水回り商品を構成する複数の種類の器具のうち少なくとも２種類の器具に係る情報を組み合わせた情報（以下、「組情報」という。）を知る必要がある。
【０００４】
これに関し、例えば特許文献１には、水回り商品とは異なるものの、作業機械の情報を簡単に知ることができる作業機械用情報提供システムが開示されている。具体的には、この作業機械用情報提供システムでは、携帯電話が作業機械の型式特定情報を当該作業機械に設けられたＱＲコード（登録商標）から取得して情報提供サーバに送信し、情報提供サーバが型式特定情報に基づいて特定される型式の作業機械に関する情報を携帯電話に提供している。
【先行技術文献】
【特許文献】
【０００５】
【特許文献１】特開２０１１−５３７９５号公報
【発明の概要】
【発明が解決しようとする課題】
【０００６】
しかしながら、特許文献１に記載の作業機械用情報提供システムは、作業機械を組み立てた後に当該作業機械のメンテナンスや修理等のサービスを行う場合に、作業機械に関する情報を知ることができるものであって、作業機械の組み立て前において作業機械の部品しかない場合には、作業機械に関する情報、特に組情報を知ることができない。
【０００７】
したがって、現状では、水回り商品を現場で施工する際に器具の組情報を知る場合には、施工者は、当該水回り商品を構成する各器具の型式等の情報をサーバ装置に手入力し、各器具それぞれの持つ様々な組み合わせの水回り商品の中から特定の水回り商品を手動で検索して選択しなければならなかった。この結果、現場で水回り商品を施工する際に、「手入力」及び「手動で検索」という作業により手間が掛ってしまう。
【０００８】
そこで、本発明は、上述した課題を解決するためになされたものであり、施工者が現場で水回り商品を施工する際に組情報を知るための手間を省くことができるプログラム、サーバ装置、検索システム及び携帯端末のプログラムを提供することを目的の一つとしている。
【課題を解決するための手段】
【０００９】
上記検討結果を鑑みて、本発明の第１態様に係るプログラムは、水回り商品を構成する複数の種類の器具のうち少なくとも２種類の器具に係る情報を組み合わせた組情報を前記水回り商品毎に記憶した記憶部と、携帯端末と通信するための通信部と、を備えるサーバ装置を、前記通信部を介して前記携帯端末から、前記器具のうち任意の種類の器具を示す第１識別情報を受信した場合に前記第１識別情報を受け付け、前記第１識別情報が示す器具とは異なる種類の器具を示す第２識別情報の入力を受け付け、且つ、前記組情報の第１検索要求を受け付ける受付手段、前記受付手段が前記第１検索要求を受け付けた場合、前記記憶部に記憶されている組情報の中から前記第１識別情報と前記第２識別情報とにそれぞれ関連する組情報を検索する検索手段、及び、前記検索手段で検索された前記組情報を、前記通信部を介して前記携帯端末に送信する送信手段、として機能させる。
【００１０】
この構成によれば、例えば水回り商品を施工する現場において、施工者は、携帯端末を用いて、サーバ装置から第１識別情報と第２識別情報とにそれぞれ関連する組情報を取得することができる。この結果、水回り商品毎にある組情報の中から目的の組情報を自身で検索する手間を省くことができ、現場での作業を効率的に行うことができる。
【００１１】
本発明の第２態様に係るプログラムでは、第１態様において、前記検索手段は、前記受付手段が前記第１識別情報を受け付けた場合、前記送信手段に対して前記第１識別情報に応じたメニュー画面に係る情報を送信させ、前記メニュー画面において前記第１検索要求を行うメニューが選択された場合に、前記入力として前記第２識別情報を受信してそれを受け付け、且つ、前記第１検索要求を受け付ける。
【００１２】
この構成によれば、検索手段は、受付手段が第１識別情報を受け付けた場合、送信手段に対して第１識別情報に応じたメニュー画面に係る情報を送信させるので、施工者は、携帯端末にてサーバ装置から受信した第１識別情報に応じたメニュー画面を見ることができる。この結果、第１識別情報に応じたメニュー画面を自身で検索する手間を省くことができ、現場での作業を効率的に行うことができる。また、メニュー画面を見ることができれば、第１識別情報が示す器具の詳細情報等も容易にアクセス可能となり、水回り商品を施工する現場での作業を効率的に行うことができる。また、サーバ装置の受付手段は、メニュー画面において第１検索要求を行うメニューが選択された場合に、入力として第２識別情報を受信してそれを受け付け、且つ、第１検索要求を受け付けるので、サーバ装置が、第２識別情報を受信した場合に第１識別情報と誤認識してメニュー画面に係る情報を送信することを抑制できる。
【００１３】
本発明の第３態様に係るプログラムでは、第１態様又は第２態様において、前記組情報は、衛生陶器に係る情報を含む。
【００１４】
この構成によれば、衛生陶器は他の器具に比べて重くなり易いので、現場で検索する手間を省くことができれば、衛生陶器を運ぶ時間が短縮化されて、施工者の負担を軽減することができる。
【００１５】
本発明の第４態様に係るプログラムでは、第１態様乃至第３態様の何れか１つに記載の態様において、前記組情報は、前記少なくとも２種類の器具のセット図を含む。
【００１６】
この構成によれば、施工者は、現場にいながら携帯端末においてセット図を見ることで、少なくとも２種類の器具を組み立てて、水回り商品を容易に施工することができるようになる。
【００１７】
本発明の第５態様に係るプログラムでは、第１態様乃至第４態様の何れか１つの態様において、前記記憶部には、水回り商品を構成する複数の種類の器具それぞれの個別情報が記憶されており、前記受付手段は、前記送信手段が前記組情報を送信した後に、前記携帯端末から前記組情報に関する器具の第２検索要求を受け付け、前記検索手段は、前記記憶部に記憶されている前記個別情報の中から前記受付手段が受け付けた前記第２検索要求に対応する個別情報を検索し、前記送信手段は、前記検索手段で検索された前記個別情報を、前記通信部を介して前記携帯端末に送信する。
【００１８】
この構成によれば、施工者は、得られた組情報の中で例えば品番等が分からない器具があっても、携帯端末において第２検索要求を行ってその器具の個別情報を受信することで、その器具についてより詳しく知ることができる。
【００１９】
本発明の第６態様に係るプログラムでは、第５態様において、前記受付手段は、前記送信手段で前記個別情報が送信された後に、前記携帯端末から前記組情報の再送信要求を受け付け、前記送信手段は、前記受付手段が前記再送信要求を受け付けた場合、前記検索手段で検索された前記組情報を、前記通信部を介して前記携帯端末に再度送信する。
【００２０】
この構成によれば、施工者は、得られた組情報の中で例えば品番等が分からない器具が複数あっても、携帯端末において再送信要求を行うことで組情報を再度受信し、他の分からない器具について第２検索要求を行ってその器具の個別情報を受信することで、複数の器具全てについてより詳しく知ることができる。
【００２１】
本発明の第７態様に係るプログラムでは、第１態様乃至第６態様の何れか１つに記載の態様において、前記サーバ装置をさらに、前記検索手段が前記記憶部に記憶されている組情報の中から前記第１識別情報と前記第２識別情報とにそれぞれ関連する組情報を検索した結果、前記関連する組情報が前記憶部に記憶されていなかった場合、前記サーバ装置の管理者に通知する通知部、として実現させる。
【００２２】
この構成によれば、施工者にとって必要な組情報をサーバ装置の管理者が通知部により知ることで、その組情報をサーバ装置に早く保存することができる。この結果、施工者は、必要な組情報を早めに知ることができるようになる。
【００２３】
本発明の第８態様に係るプログラムでは、第５態様又は第６態様において、前記サーバ装置をさらに、前記受付手段が前記携帯端末から前記水回り商品の組み立て順序の作成要求を受け付けた場合、前記第１識別情報及び前記第２識別情報からこれらに対応する前記個別情報に基づき、前記水回り商品の組み立て又は解体の順序を作成する作成手段、として実現させ、前記送信手段は、前記作成手段で作成された順序を、前記通信部を介して前記携帯端末に送信する。
【００２４】
この構成によれば、施工者が携帯端末において作成要求を行うことで、サーバ装置の作成手段及び送信手段が第１識別情報及び第２識別情報からこれらに対応する個別情報に基づき水回り商品の組み立て又は解体の順序を作成して携帯端末に送信するので、サーバ装置の管理者が当該順序を予め用意しなくても、施工者は、この順序を取得して、これを見ながら施工を行うことができる。
【００２５】
本発明の第９態様に係るプログラムでは、第１態様至第８態様の何れか１つの態様において、前記送信手段はさらに、前記検索手段で検索された前記組情報を、予め登録された宛先に送信する。
【００２６】
この構成によれば、携帯端末の利用者以外の人でも、サーバ装置に予め宛先を登録しておけば、組情報を取得することができる。
【００２７】
本発明の第１０態様に係るサーバ装置は、水回り商品を構成する複数の種類の器具のうち少なくとも２種類の器具に係る情報を組み合わせた組情報を前記水回り商品毎に記憶した記憶手段と、前記携帯端末から、前記器具のうち任意の種類の器具を示す第１識別情報を受信した場合に前記第１識別情報を受け付け、前記第１識別情報が示す器具とは異なる種類の器具を示す第２識別情報の入力を受け付け、且つ、前記組情報の第１検索要求を受け付ける受付手段、前記受付手段が前記第１検索要求を受け付けた場合、前記記憶部に記憶されている組情報の中から前記第１識別情報と前記第２識別情報とにそれぞれ関連する組情報を検索する検索手段と、前記検索手段で検索された前記組情報を、前記携帯端末に送信する送信手段と、を備える。
【００２８】
この構成によれば、例えば水回り商品を施工する現場において、施工者は、携帯端末を用いて、サーバ装置から第１識別情報と第２識別情報とにそれぞれ関連する組情報を取得することができる。この結果、水回り商品毎にある組情報の中から目的の組情報を自身で検索する手間を省くことができ、現場での作業を効率的に行うことができる。
【００２９】
本発明の第１１態様に係る検索システムは、携帯端末とサーバ装置とを備える検索システムであって、前記携帯端末は、１次元以上のコードを読み取る読取手段と、前記読取手段で読み取られた前記コードを前記サーバ装置に送信し、前記サーバ装置から送信結果を受信する通信手段と、前記通信手段で受信した前記送信結果を表示する表示手段と、を備え、前記サーバ装置は、水回り商品を構成する複数の種類の器具のうち少なくとも２種類の器具に係る情報を組み合わせた組情報を前記水回り商品毎に記憶した記憶手段と、前記携帯端末において前記読取手段で前記器具のうち任意の種類の器具の第１識別情報を示すコードが読み取られた場合、前記通信手段から前記第１識別情報を受信し、前記第１識別情報が示す器具とは異なる種類の器具の第２識別情報を示すコードが読み取られた場合、前記通信手段から前記第２識別情報を受信する受信手段と、前記記憶手段に記憶されている組情報の中から前記受信手段が受信した前記第１識別情報と前記第２識別情報とにそれぞれ関連する組情報を検索する検索手段と、前記検索手段で検索された前記組情報を前記携帯端末に送信する送信手段と、を備える。
【００３０】
この構成によれば、例えば水回り商品を施工する現場において、施工者は、携帯端末を用いて、サーバ装置から第１識別情報と第２識別情報とにそれぞれ関連する組情報を取得することができる。この結果、水回り商品毎にある組情報の中から目的の組情報を自身で検索する手間を省くことができ、現場での作業を効率的に行うことができる。また、施工者は、器具にその識別情報を示すコードが付されていれば、そのコードを読取手段で読み取ることで、例えば任意の器具の第１識別情報や他の器具の第２識別情報等を、手作業で入力することなく、携帯端末からサーバ装置に送信することができる。したがって、現場での作業を効率的に行うことができる。
【００３１】
本発明の第１２態様に係る携帯端末のプログラムは、表示手段、通信手段、及び１次元以上のコードを読み取る読取手段を備える携帯端末に対して、水回り商品を構成する複数の種類の器具のうち任意の種類の器具の第１識別情報を示すコードが前記読取手段により読み取られた場合に、前記第１識別情報に応じたメニュー画面を、前記表示手段に表示する第１ステップと、前記メニュー画面において水回り商品を構成する複数の種類の器具のうち少なくとも２種類の器具に係る情報を組み合わせた組情報の検索要求を行うメニューが選択された場合に、前記組情報のうち前記第１識別情報に関連する組情報を検索するための第１検索画面を前記表示手段に表示する第２ステップと、前記検索画面を介して、前記第１識別情報が示す器具とは異なる種類の器具の第２識別情報を示すコードが前記読取手段により読み取られた場合に、前記第１識別情報と前記第２識別情報とにそれぞれ関連する前記組情報を検索するための第２検索画面を前記表示手段に表示する第３ステップと、前記第２検索画面において検索ボタンが押下された場合に、前記第１識別情報と前記第２識別情報と前記組情報の検索要求とを、前記通信手段を介してサーバ装置に送信する第４ステップと、前記通信手段が前記サーバ装置から前記組情報の検索結果を受信した場合に、前記検索結果を前記表示手段に表示する第５ステップと、を実行させる前記携帯端末のプログラム。
【００３２】
この構成によれば、例えば水回り商品を施工する現場において、施工者は、携帯端末を用いて、サーバ装置から第１識別情報と第２識別情報とにそれぞれ関連する組情報を取得することができる。この結果、水回り商品毎にある組情報の中から目的の組情報を自身で検索する手間を省くことができ、現場での作業を効率的に行うことができる。また、施工者は、器具にその識別情報を示すコードが付されていれば、そのコードを読取手段で読み取ることで、例えば任意の器具の第１識別情報や他の器具の第２識別情報等を、手作業で入力することなく、携帯端末からサーバ装置に送信することができる。したがって、現場での作業を効率的に行うことができる。
【発明の効果】
【００３３】
本発明のプログラム、サーバ装置、検索システム及び携帯端末のプログラムによれば、現場で水回り商品を施工する際に組情報を知るための手間を省くことができる。
【図面の簡単な説明】
【００３４】
【図１】第１実施形態に係る検索システムの構成を示す構成図である。
【図２】第１実施形態に係るサーバ装置のハードウェア構成を示す概略構成図である。
【図３】本実施形態における携帯端末のハードウェア構成を示す概略構成図である。
【図４】水回り商品の一例としてのトイレ装置の斜視図である。
【図５】トイレ装置の分解斜視図である。
【図６】第１実施形態に係る検索システムの機能ブロック図である。
【図７】セット図の一例を示す図である。
【図８】セット図リストの一例を示す図である。
【図９】第１実施形態に係る検索システムのサーバ装置と携帯端末が実行する処理のフローチャートである。
【図１０】図９から続く処理のフローチャートである。
【図１１】表示手段がコードの解析結果を表示する画面の一例を示す図である。
【図１２】表示手段が表示するメニューページの一例を示す図である。
【図１３】施工案内ボタンが押下された場合に表示手段が表示する施工案内ページの一例を示す図である。
【図１４】表示手段が表示する検索ページの一例を示す図である。
【図１５】表示手段が表示する検索ページの他の例を示す図である。
【図１６】表示手段が表示する検索ページの他の例を示す図である。
【図１７】第２実施形態に係る検索システムのサーバ装置と携帯端末が実行する処理のフローチャートである。
【図１８】記憶手段に記憶される履歴（アクセス履歴）の一例を示す図である。
【図１９】第３実施形態に係る検索システムのサーバ装置と携帯端末が実行する処理のフローチャートである。
【発明を実施するための形態】
【００３５】
以下、添付図面を参照しながら本発明の複数の実施形態について説明する。理解を容易にするため、各図面において同一の構成要素に対しては可能な限り同一の符号を付し、重複する説明は省略する。
【００３６】
＜第１実施形態＞
まず、本発明の複数の実施形態の一例である第１実施形態に係るプログラム、サーバ装置及び検索システムについて説明する。
【００３７】
―――検索システムの構成―――
図１は、第１実施形態に係る検索システム１０の構成を示す構成図である。
【００３８】
図１に示すように、第１実施形態に係る検索システム１０は、サーバ装置２０と、携帯端末４０と、を有している。これらサーバ装置２０と携帯端末４０とは、基地局ＢＳを介して間接的に、または、直接的に、インターネット上において提供されるＷｏｒｌｄ Ｗｉｄｅ ＷｅｂシステムなどのネットワークＮによってそれぞれ接続できるようになっている。
【００３９】
この検索システム１０では、携帯端末４０がネットワークＮ及びサーバ装置２０と接続された場合に、当該携帯端末４０に対して検索サイトを含む種々のＷｅｂページやプログラムを提供することができるようになっている。
【００４０】
―――サーバ装置２０のハードウェア構成―――
図２は、第１実施形態に係るサーバ装置２０のハードウェア構成を示す概略構成図である。
【００４１】
図２に示すように、このサーバ装置２０は、サーバ本体２０Ａとしてのデジタルサーバ装置で構築されている。サーバ本体２０Ａ内においては、インターフェース２２を介してＭＰＵ（Micro-Processing Unit）２４に、ＲＯＭ（Read Only Memory）２６、ＲＡＭ（Random Access Memory）２８、ＨＤＤ（Hard Disk Drive）３０、入力装置３２、表示装置３４及びＮＩＣ(Network Interface Controller)３６が結合されている。
【００４２】
ＭＰＵ２４は、プログラム等の処理を演算する。ＲＯＭ２６には、典型的にはブートストラップ及びＢＩＯＳが格納されている。ＲＡＭ２８は、主メモリ用である。ＨＤＤ３０には、例えばオペレーティングシステム（以下、「ＯＳ」と称す。）と、ＯＳの下層のデバイスドライバ群と、ＯＳの上層のアプリケーションプログラムと、が格納されている。このアプリケーションプログラムには、例えば第１実施形態に係るプログラム１００が含まれている。
【００４３】
入力装置３２は、例えばマウスやキーボードで構成される。表示装置３４は、サーバ装置の情報をモニタリングする等のために画面上に文字又は画像を表示する機器である。ＮＩＣ３６は、ネットワークＮを介してサーバ装置２０と携帯端末４０とを通信可能にするためのものである。
【００４４】
―――携帯端末４０のハードウェア構成―――
図３は、本実施形態における携帯端末４０のハードウェア構成を示す概略構成図である。この携帯端末４０の典型的な一例はスマートフォンなどの携帯電話機であるが、この他、施工専用端末または汎用端末、ネットワークに無線接続可能な携帯端末、あるいはタブレット型端末のようなタッチパネルを搭載した電子機器など、ネットワークを使って通信可能な汎用機器なども本実施形態における携帯端末４０に該当しうる。
【００４５】
本実施形態における携帯端末４０は、図示しない矩形の薄形筐体を備え、その筐体の一方の面には、タッチパネル４２が多くの部分を占めるように構成されている。該タッチパネル４２が搭載されている面（正面）には、レシーバ５４、マイクロフォン５８及びハードボタン６０が設けられている。また、携帯端末４０の側面や底面には、ハードキー６２、スピーカ５６及び音声出力端子４６Ａなどの外部インターフェース４６が設けられる。さらに、携帯端末４０の背面には、カメラ４４が設けられている。
【００４６】
携帯端末４０では、上記各構成要素が主制御部６４に接続されている。主制御部６４にはさらに、移動体通信用アンテナ４８Ａ、移動体通信部４８、無線ＬＡＮ通信用アンテナ５０Ａ、無線ＬＡＮ通信部５０、及び記憶部５２が接続されている。
【００４７】
タッチパネル４２は、表示装置及び入力装置の両方の機能を備え、表示機能を担うディスプレイ（表示画面）４２Ａと、入力機能を担うタッチセンサ４２Ｂとで構成される。ディスプレイ４２Ａは、例えば、液晶ディスプレイや有機ＥＬ（Electro Luminescence）ディスプレイなどの一般的な表示デバイスにより構成される。タッチセンサ４２Ｂは、ディスプレイ４２Ａの上面に配置された接触操作を検知するための素子及びその上に積層された透明な操作面を備えて構成される。タッチセンサ４２Ｂの接触検知方式としては、静電容量式、抵抗膜式（感圧式）、電磁誘導式など既知の方式のうちの任意の方式を採用することができる。
【００４８】
表示装置としてのタッチパネル４２は、主制御部６４によるプログラムの実行により生成される画像やＷｅｂページを表示する。入力装置としてのタッチパネル４２は、操作面に対して接触する接触物（プレイヤの指やスタイラスなどを含む。以下、「指」である場合を代表例として説明する。）の動作を検知することで、操作入力を受け付け、その接触位置の情報を主制御部６４に与える。指の動作は、接触点の位置または領域を示す座標情報として検知され、座標情報は、例えば、タッチパネル４２の短辺方向及び長辺方向の二軸上の座標値として表される。
【００４９】
第１実施形態に係る携帯端末４０においては、プレイヤがディスプレイ４２Ａ中の所定のアイコン等に入力したり、プログラム実行中の所定の条件が満たされたりすることによって画面が適宜切り換わるようになっている。
【００５０】
携帯端末４０は、移動体通信用アンテナ４８Ａや無線ＬＡＮ通信用アンテナ５０Ａを通じてネットワークＮに接続され、サーバ装置２０との間でデータ通信をすることが可能である。このデータ通信を利用することで、携帯端末４０は、水回り商品を構成する器具に付されたバーコードやＱＲコード等の１次元以上のコードを読み取った後、コードが示す情報をサーバ装置２０に送信することができるようになっている。
【００５１】
ここで、「器具」とは、水回り商品を構成する部品を言う。器具としては、例えば便器（衛生陶器）、タンク、便座、水栓装置、流し台、及び、棚等が挙げられる。また、「水回り商品」とは、便器とタンクと便座等で構成されたトイレ装置や、流し台と水栓装置と化粧鏡等で構成される洗面化粧台、流し台と水栓装置と棚等で構成されるシステムキッチン等、複数の種類の器具が現場で組み合わされて構成されるものを言う。なお、器具自体も、水回り商品となる場合があってもよい。
【００５２】
図４は、水回り商品１１０の一例としてのトイレ装置１１０Ａの斜視図である。図５は、トイレ装置１１０Ａの分解斜視図である。
【００５３】
図４及び図５に示すように、トイレ装置１１０Ａは、複数の種類の器具１１２、例えば便器１１２Ａ、タンク１１２Ｂ及び便座ユニット１１２Ｃを含んで構成される。また、トイレ装置１１０Ａは、器具１１２として便座ユニット１１２Ｃを遠隔操作するリモコン装置を含んでいてもよい。
【００５４】
各器具１１２、すなわち便器１１２Ａ、タンク１１２Ｂ及び便座ユニット１１２Ｃにはそれぞれ、バーコードやＱＲコード等の１次元以上のコード１１４が付与されている。コード１１４は、例えば、コード１１４が付された器具１１２に関するＷｅｂページのＵＲＬ（Uniform Resource Locator）や、器具１１２の第１識別情報及び第２識別情報としての品番等の文字情報を持っている。なお、器具１１２に関するＷｅｂページのＵＲＬがあれば、器具１１２の品番が分かり得る、すなわちＵＲＬが器具１１２の識別情報となり得るので、コード１１４は、品番自体の情報を持っていなくてもよい。
【００５５】
便器１１２Ａは、ボウル部１１６を有する。ボウル部１１６は、便器１１２Ａの上部に設けられる。ボウル部１１６は、便器１１２Ａの上面よりも凹んだ凹状である。ボウル部１１６は、使用者から排泄された汚物や尿などを受ける。また、ボウル部１１６は、内部に水を貯留し、排水管から悪臭や害虫類などが室内に侵入することを防ぐ。
【００５６】
タンク１１２Ｂは、例えば便器１１２Ａの上面後部に設置され、タンク１１２Ｂ内の空間がボウル部１１６に接続されている。
【００５７】
便座ユニット１１２Ｃは、便器１１２Ａの上に設置されている。この便座ユニット１１２Ｃは、例えば、本体部１１８と、便座１２０と、便蓋１２２と、を有する。便座１２０と便蓋１２２とは、本体部１１８に対して開閉可能にそれぞれ軸支されている。便蓋１２２は、閉じた状態において便座１２０の上方を覆う。なお、便蓋１２２は、必ずしも設けられていなくてもよい。
【００５８】
便座ユニット１１２Ｃは、例えば、衛生洗浄機能と、局部乾燥機能と、便座暖房機能と、を有する。衛生洗浄機能は、便座１２０に座った使用者の「おしり」などを洗浄する洗浄動作を行う機能である。局部乾燥機能は、便座１２０に座った使用者の「おしり」などに温風を吹き付けることにより、衛生洗浄によって濡れた「おしり」などを乾燥させる乾燥動作を行う機能である。便座暖房機能は、便座１２０の着座面を適温に温める便座加熱動作を行う機能である。
【００５９】
衛生洗浄機能では、例えば、使用者の操作に応じて、人体局部に向けて洗浄水を吐水する吐水手段としてのノズル（不図示）を本体部１１８から便器１１２Ａのボウル部１１６内に進出させる。そして、ノズルの先端付近に設けられた吐水口から洗浄水を噴射する。これにより、使用者の「おしり」などを洗浄することができる。ノズルは、衛生洗浄機能を実行していない状態では、本体部１１８内に収納される。
【００６０】
また、衛生洗浄機能は、例えば、使用者の「おしり」に向けて洗浄水を噴射するおしり洗浄機能と、女性局部に向けて洗浄水を噴射するビデ洗浄機能と、を含む。衛生洗浄機能では、冷水のみならず、ヒータによって加熱した温水を洗浄水として吐水口から噴射することもできる。
【００６１】
本体部１１８は、便器１１２Ａの上部後方に設置され、上記機能を実行するトイレ制御部（不図示）を備えている。
【００６２】
―――検索システム１０の機能構成―――
図６は、第１実施形態に係る検索システム１０の機能ブロック図である。
【００６３】
図６に示すように、検索システム１０は、上述した構成のサーバ装置２０と携帯端末４０とを備える検索システムである。
【００６４】
まず、携帯端末４０は、例えば、入力手段１３０と、読取手段１３２と、表示手段１３４と、通信手段１３６と、を備える。
【００６５】
入力手段１３０は、例えばタッチセンサ４２Ｂ及び主制御部６４を含む。入力手段１３０は、例えば施工者等の携帯端末４０の利用者が、文字入力したり、ディスプレイ４２Ａに表示される選択肢の中から選択（入力）したりするものである。
【００６６】
読取手段１３２は、例えばカメラ４４、主制御部６４及び記憶部５２にインストールされた不図示の読取プログラムを含む。この読取手段１３２は、例えば器具１１２に付されたバーコードやＱＲコード等の１次元以上のコード１１４を読み取る。
【００６７】
携帯端末４０の表示手段１３４は、例えばディスプレイ４２Ａ及び主制御部６４を含む。この表示手段１３４は、例えば読取手段１３２で読み取られたコードを表示したり、通信手段１３６で受信した送信結果を表示したりする。
【００６８】
通信手段１３６は、例えば無線ＬＡＮ通信用アンテナ５０Ａ、無線ＬＡＮ通信部５０及び主制御部６４を含む。この通信手段１３６は、例えば読取手段１３２で読み取られたコード１１４の情報を、ネットワークＮを介してサーバ装置２０に送信し、サーバ装置２０から送信結果を受信する。
【００６９】
一方で、サーバ装置２０は、例えば、記憶部としての記憶手段１４０と、受信手段１４２と、受付手段１４４と、検索手段１４６と、送信手段１４８と、を備える。
【００７０】
記憶手段１４０は、例えばＨＤＤ３０を含む。この記憶手段１４０には、例えば複数のＷｅｂページ１５０、個別情報の一部としての各器具１１２の個別図面１５２と、組情報としての複数のセット図１５４、セット図リスト１５６、及び、施工マニュアル１５８等が記憶されている。
【００７１】
Ｗｅｂページ１５０としては、器具１１２の種類毎に、器具１１２に関するメニューページ、器具１１２の個別情報を説明する説明ページ、セット図１５４の検索ページ、及び、器具１１２の質問に対する回答ページ等が用意されている。
【００７２】
個別図面１５２は、例えば、１つの器具１１２の正投影図（例えば３面図）である。
【００７３】
セット図１５４は、１つの水回り商品１１０を構成する複数の種類の器具１１２のうち少なくとも２種類の器具に係る情報を組み合わせた組情報の一例であり、例えば、１つの水回り商品１１０の複数の正投影図（例えば３面図）を含む。
【００７４】
図７は、セット図１５４の一例を示す図である。なお、図７では、符号の記載を省略している。
【００７５】
図７に示すように、セット図１５４は、例えば、便器１１２Ａ、タンク１１２Ｂ及び便座ユニット１１２Ｃを含んで構成された１つの水回り商品１１０の側面図、上面図及び正面図である。
【００７６】
図６に戻って、セット図リスト１５６は、記憶手段１４０に記憶されている複数のセット図１５４がリストにされたものである。
【００７７】
図８は、セット図リスト１５６の一例を示す図である。
【００７８】
セット図リスト１５６は、例えば、セット図１５４の識別番号の記載欄１５６Ａと、水回り商品１１０の選択欄１５６Ｂと、水回り商品１１０の品番又は図番の記載欄１５６Ｃと、を含む。また、セット図リスト１５６は、例えば、その水回り商品１１０を構成する器具１１２の品番（構成品番）、その個数、及び、廃番色の有無の記載欄１５６Ｄと、その水回り商品１１０を構成する器具１１２の個別図面１５２のリンクの記載欄１５６Ｅと、がそれぞれ対応して、セット図１５４の識別番号毎に設けられている。言い換えれば、水回り商品１１０毎に、各情報が記載されている。なお、水回り商品１１０毎とは、トイレ装置１１０Ａの種類毎等である。
なお、記載欄１５６Ｃの各品番又は各図番には、対応する水回り商品１１０のセット図１５４のハイパーリンクが挿入されている。
【００７９】
図６に戻って、施工マニュアル１５８は、各水回り商品１１０の施工マニュアルや、各器具１１２の施工マニュアルを含む。施工マニュアル１５８のうち各水回り商品１１０の施工マニュアルは、セット図１５４同様、組情報の一部となり得る。この施工マニュアル１５８には、取扱説明書が含まれていてもよい。施工マニュアル１５８のうち各器具１１２の施工マニュアルは、他の器具１１２との関係を記載していれば、セット図１５４同様、組情報の一部となり得る。
【００８０】
受信手段１４２は、例えばＮＩＣ３６及びＭＰＵ２４を含む。受信手段１４２は、例えば、携帯端末４０において読取手段１３２で複数の種類の器具１１２のうち任意の種類の器具の第１識別情報を示すコード１１４が読み取られた場合、携帯端末４０の通信手段１３６から、少なくとも、第１識別情報を受信する。
【００８１】
受付手段１４４は、例えばＭＰＵ２４及びプログラム１００を含む。この受付手段１４４は、例えば、受信手段１４２が第１識別情報を受信した場合に当該第１識別情報を受け付け（認識し）、且つ、第１識別情報が示す器具１１２とは異なる種類の器具の第２識別情報の入力を受け付け、且つ、組情報の第１検索要求を受け付ける。なお、第１実施形態では、第１識別情報の後に第２識別情報も読み取られて、携帯端末４０から受信手段１４２が第２識別情報を受信して受付手段１４４がそれを受け付ける場合を説明する。
【００８２】
検索手段１４６は、例えば、ＭＰＵ２４、ＲＡＭ２８及びプログラム１００を含む。この検索手段１４６は、例えば、記憶手段１４０に記憶されている組情報の中から受付手段１４４が受け付けた第１識別情報と第２識別情報とにそれぞれ関連する組情報（セット図１５４）を検索する。
【００８３】
送信手段１４８は、例えば、ＮＩＣ３６、ＭＰＵ２４及びプログラム１００を含む。この送信手段１４８は、例えば、検索手段１４６で検索されたセット図１５４の検索結果リストを携帯端末４０に送信する
【００８４】
―――検索システム１０の処理―――
図９は、第１実施形態に係る検索システム１０のサーバ装置２０と携帯端末４０が実行する処理のフローチャートである。図１０は、図９から続く処理のフローチャートである。なお、サーバ装置２０の各処理は、ＭＰＵ２４がプログラム１００を実行することで実現される（なお、受信自体は他のプログラムであってもよい）。
【００８５】
図９において、ステップＳＰ１０の前に、施工者は、例えば水回り商品１１０を現場で施工する際に器具１１２の組み合わせに疑義等が生じた場合には、自らの携帯端末４０を取り出し、読取手段１３２の一部である、携帯端末４０内にインストールされているコード１１４の読取プログラムを、入力手段１３０で選択入力する。
【００８６】
（ステップＳＰ１０）
施工者の選択入力に応答して、携帯端末４０は、読取プログラムを起動する。読取プログラムは、起動ととともに、読取手段１３２の一部であるカメラ４４の撮影状態に入る。
【００８７】
（ステップＳＰ１２）
施工者は、現場の器具１１２に付されているコード１１４に、携帯端末４０のカメラ４４を向けた状態で、不図示の撮影ボタンを入力手段１３０で押下する。これに応答して、携帯端末４０は、カメラ４４を用いて、コード１１４を撮影することで、コード１１４を読み取る。そして、携帯端末４０は、読取プログラムにて、コード１１４を解析する。次に、携帯端末４０は、図１１に示すように、例えば、読み取ったコード１１４の画像と、当該コード１１４の解析結果であるＵＲＬ１７２及び品番１７４と、ＯＫボタン１７６と、を含んだ画面１７８を表示手段１３４で表示する。
【００８８】
（ステップＳＰ１４）
画面１７８内のＯＫボタン１７６が入力手段１３０で押下されると、表示手段１３４は、携帯端末４０の通信手段１３６に対して解析結果に関する送信依頼を行う。これに応答して、通信手段１３６は、ＵＲＬ１７２が示すＷｅｂページ、すなわちコード１１４が示す器具１１２のメニュー画面となるメニューページのアクセス要求と、第１識別情報となる品番１７４と、をサーバ装置２０に送信する。
【００８９】
（ステップＳＰ１６）
サーバ装置２０の受信手段１４２は、携帯端末４０から、メニューページのアクセス要求と、品番１７４と、を受信する。これに応答して、受付手段１４４は、メニューページのアクセス要求と、品番１７４と、を受け付ける（認識する）。
【００９０】
（ステップＳＰ１８）
サーバ装置２０の検索手段１４６は、受付手段１４４が受け付けたアクセス要求に応答して、記憶手段１４０内のＷｅｂページ１５０の中から、当該アクセス要求及び受け付けた品番１７４に対応する器具１１２のメニューページを検索する。そして、検索手段１４６は、検索して得られたメニューページの送信依頼を送信手段１４８に対して行う。これに応答して、送信手段１４８は、検索して得られたメニューページを、アクセス要求した携帯端末４０に送信する。
【００９１】
（ステップＳＰ２０）
携帯端末４０の通信手段１３６は、サーバ装置２０から、メニューページを受信する。これに応答して、表示手段１３４は、通信手段１３６が受信したメニューページを表示する。
【００９２】
図１２は、表示手段１３４が表示するメニューページの一例を示す図である。なお、図１２以降では器具１１２も「商品」として記載している。
【００９３】
図１２に示すメニューページ１９０には、携帯端末４０が読み取ったコード１１４が示す品番１７４の器具１１２に関するメニューが用意されている。このメニューページ１９０には、メニューページに示す器具１１２に関する個別情報（器具情報）を記載した各Ｗｅｂページにリンクした複数の器具情報ボタン１９２〜２００が設けられている。器具情報ボタン１９２〜２００の中には、器具１１２の施工案内を記載したＷｅｂページにリンクした施工案内ボタン１９２が設けられている。他の器具情報ボタン１９４〜２００は、例えば、器具１１２自体の使い方やお手入れ、故障の際の対処法や連絡先、又は、リモデル情報等の器具情報を記載したＷｅｂページにリンクしている。
【００９４】
図１３は、施工案内ボタン１９２が押下された場合に表示手段１３４が表示する施工案内ページの一例を示す図である。なお、施工案内ボタン１９２が押下された場合、表示手段１３４は、サーバ装置２０を介して施工案内ページを表示してもよいが、サーバ装置２０を介さずに施工案内ページを表示してもよい。また、この表示のフローは、図９では省略する。
【００９５】
図１３に示す施工案内ページ２１０には、器具１１２の施工案内が記載されている。この施工案内ページ２１０には、器具情報ではなく組情報であるセット図を閲覧するための組情報ボタン（セット図ボタン）２１２が設けられている。また、施工案内ページ２１０には、複数の器具情報ボタン２１４〜２２６が設けられている。複数の器具情報ボタン２１４〜２２６は、例えば、器具１１２の個別図面１５２（図６参照）や、施工説明書の全文すなわち施工マニュアル１５８、施工説明の動画等にリンクしたものがある。なお、施工案内ページ２１０も第１実施形態に係るメニュー画面の一部となる。
【００９６】
（ステップＳＰ２２）
図９に戻って、携帯端末４０の表示手段１３４は、器具情報ボタン１９４〜２００、及び２１４〜２２６のうち何れか１つが押下されたか否か判断する。そして、表示手段１３４は、肯定判断した場合にはステップＳＰ２４の処理に移行し、否定判断した場合にはステップＳＰ３２の処理に移行する。
【００９７】
（ステップＳＰ２４）
表示手段１３４は、通信手段１３６に対して、押下された器具情報ボタンに対応する器具情報の要求を行う。これに応答して、通信手段１３６は、器具情報の要求をサーバ装置２０に送信する。
【００９８】
（ステップＳＰ２６）
サーバ装置２０の受信手段１４２は、携帯端末４０から、器具情報の要求を受信する。これに応答して、受付手段１４４は、当該要求を受け付ける（認識する）。
【００９９】
（ステップＳＰ２８）
サーバ装置２０の検索手段１４６は、受付手段１４４が受け付けた器具情報の要求に応答して、記憶手段１４０内のＷｅｂページ１５０や個別図面１５２、施工マニュアル１５８の中から、当該要求に対応する器具情報を検索する。そして、検索手段１４６は、検索して得られた器具情報の送信依頼を送信手段１４８に対して行う。これに応答して、送信手段１４８は、検索して得られた器具情報を、アクセス要求した携帯端末４０に送信する。
【０１００】
（ステップＳＰ３０）
携帯端末４０の通信手段１３６は、サーバ装置２０から、器具情報を受信する。これに応答して、表示手段１３４は、通信手段１３６が受信した器具情報を表示する。
【０１０１】
（ステップＳＰ３２）
表示手段１３４は、組情報ボタン２１２が押下されたか否か判断する。そして、表示手段１３４は、肯定判断した場合にはステップＳＰ３４の処理に移行し、否定判断した場合にはステップＳＰ２２の処理に戻る。
【０１０２】
（ステップＳＰ３４）
表示手段１３４は、携帯端末４０の通信手段１３６に対して組情報ボタン２１２に対応するＷｅｂページ、すなわちセット図１５４の検索ページのアクセス要求の送信依頼を行う。これに応答して、通信手段１３６は、当該アクセス要求をサーバ装置２０に送信する。
【０１０３】
（ステップＳＰ３６）
サーバ装置２０の受信手段１４２は、携帯端末４０から、検索ページのアクセス要求を受信する。これに応答して、受付手段１４４は、検索ページのアクセス要求を受け付ける（認識する）。
【０１０４】
（ステップＳＰ３８）
サーバ装置２０の検索手段１４６は、受付手段１４４が受け付けたアクセス要求に応答して、記憶手段１４０内のＷｅｂページ１５０の中から、当該アクセス要求に対応する検索ページを検索する。そして、検索手段１４６は、検索して得られた検索ページの送信依頼を送信手段１４８に対して行う。これに応答して、送信手段１４８は、検索して得られた検索ページを、アクセス要求した携帯端末４０に送信する。
【０１０５】
（ステップＳＰ４０）
携帯端末４０の通信手段１３６は、サーバ装置２０から、検索ページを受信する。これに応答して、表示手段１３４は、通信手段１３６が受信した検索ページを表示する。
【０１０６】
図１４は、表示手段１３４が表示する検索ページの一例を示す図である。
【０１０７】
図１４に示す検索ページ２３０には、セット図１５４の検索条件となる器具１１２の品番１７４を入力し表示可能な複数の入力表示欄２３２〜２３８が設けられている。ただし、第１実施形態では、入力手段１３０では品番１７４を入力できない仕様であってもよい。このステップＳＰ４０の段階では、入力表示欄２３４〜２３８内は空欄であるものの、入力表示欄２３２内には、ステップＳＰ１２で読み取られたコード１１４が示す品番１７４が既に検索手段１４６によって自動的に入力されている。
【０１０８】
また、検索ページ２３０には、追加読込ボタン２４０と、検索ボタン２４２と、がさらに設けられている。
【０１０９】
（ステップＳＰ４２）
図１０に移って、表示手段１３４は、追加読込ボタン２４０が押下されたか否か判断する。そして、表示手段１３４は、肯定判断した場合にはステップＳＰ４４の処理に移行し、否定判断した場合にはステップＳＰ５４の処理に移行する。
【０１１０】
（ステップＳＰ４４）
表示手段１３４は、読取プログラムを起動する。読取プログラムは、起動ととともに、読取手段１３２の一部であるカメラ４４の撮影状態に入る。
【０１１１】
（ステップＳＰ４６）
施工者は、現場において、第１識別情報としての品番１７４が示す器具とは異なる種類の器具１１２に付されているコード１１４に、携帯端末４０のカメラ４４を向けた状態で、不図示の撮影ボタンを入力手段１３０で押下する。これに応答して、携帯端末４０は、カメラ４４を用いて、コード１１４を撮影することで、コード１１４を読み取る。そして、携帯端末４０は、読取プログラムにて、コード１１４を解析する。次に、携帯端末４０は、図１１に示すように、例えば、読み取ったコード１１４の画像と、当該コード１１４の解析結果であるＵＲＬ１７２及び品番１７４と、ＯＫボタン１７６と、を含んだ画面１７８を表示手段１３４で表示する。
【０１１２】
（ステップＳＰ４８）
画面１７８内のＯＫボタン１７６が入力手段１３０で押下されると、表示手段１３４は、ステップＳＰ１４とは異なり送信依頼を行うことなく、検索ページ２３０を表示する。
【０１１３】
このステップＳＰ４８の１回目の段階では、図１５に示すように、入力表示欄２３２内にステップＳＰ１２で読み取られたコード１１４が示す品番１７４（第１識別情報）が自動的に入力されているだけでなく、さらに入力表示欄２３４内にステップＳＰ４６で読み取られたコード１１４が示す品番１７４（第２識別情報）が自動的に入力されている。また、入力表示欄２３６〜２３８内は空欄である。
このステップＳＰ４８が２回目、３回目と繰り返されることで、入力表示欄２３６〜２３８内も、順次、現場にある残りの器具１１２の品番１７４も自動的に入力される。
【０１１４】
（ステップＳＰ５０）
表示手段１３４は、検索ページ２３０において検索ボタン２４２が押下されたか否か判断する。そして、表示手段１３４は、肯定判断した場合にはステップＳＰ５２の処理に移行し、否定判断した場合にはステップＳＰ４２の処理に戻る。
【０１１５】
（ステップＳＰ５２）
表示手段１３４は、通信手段１３６に対して、第１検索要求としてセット図１５４の検索要求の送信依頼を行う。これに応答して、通信手段１３６は、当該検索要求と、入力表示欄２３２〜２３８に入力されている各品番１７４と、をサーバ装置２０に送信する。
【０１１６】
（ステップＳＰ５４）
サーバ装置２０の受信手段１４２は、携帯端末４０から、検索要求と、検索条件となる各品番１７４と、を受信する。これに応答して、受付手段１４４は、検索要求と、各品番１７４と、を受け付ける（認識する）。
【０１１７】
（ステップＳＰ５６）
検索手段１４６は、記憶手段１４０に記憶されているセット図リスト１５６内のセット図１５４の中から受付手段１４４が受け付けた各品番１７４にそれぞれ関連するセット図１５４を検索する。
【０１１８】
具体的には、検索手段１４６は、受付手段１４４が受け付けた各品番１７４を含むセット図１５４を検索する。検索の方法としては、検索手段１４６は、例えば、セット図リスト１５６内のセット図１５４の中から各品番１７４のうち１つの品番１７４を含むセット図１５４を抽出し、次に、抽出した中から、各品番１７４の残りのうち１つの品番１７４を含むセット図１５４を抽出する。検索手段１４６は、全ての品番１７４に対する抽出が終わるまで、抽出した中から、各品番１７４の残りのうち１つの品番１７４を含むセット図１５４を抽出することを繰り返す。これにより、目的のセット図１５４がより速く検索される。
また、検索手段１４６は、例えば、セット図リスト１５６内のセット図１５４の中から各品番１７４のうち２つの品番１７４を含むセット図１５４を抽出し、次に、抽出した中から、各品番１７４の残りのうち１つの品番１７４を含むセット図１５４を抽出する。検索手段１４６は、全ての品番１７４に対する抽出が終わるまで、抽出した中から、各品番１７４の残りのうち２つの品番１７４を含むセット図１５４を抽出することを繰り返す。これにより、目的のセット図１５４がより速く検索される。
【０１１９】
（ステップＳＰ５８）
検索手段１４６は、例えばセット図リスト１５６のフォーマットを用いて、検索結果リストを作成する。この検索結果リストは、例えば図８に示すセット図リスト１５６において検索結果のみがリストにされたものである。次に、検索手段１４６は、送信手段１４８に対して、作成した検索結果リストの送信依頼を行う。これに応答して、送信手段１４８は、検索結果リストを携帯端末４０に送信する。
【０１２０】
（ステップＳＰ６０）
携帯端末４０の通信手段１３６は、サーバ装置２０から、検索結果リストを受信する。これに応答して、表示手段１３４は、通信手段１３６が受信した検索結果リストを表示する。
【０１２１】
（ステップＳＰ６２）
表示手段１３４は、検索結果リストにおいて、何れか１つのセット図１５４が選択されたか否か判断する。そして、表示手段１３４は、肯定判断した場合にはステップＳＰ６４の処理に移行し、否定判断した場合にはステップＳＰ７２の処理に移行する。
【０１２２】
（ステップＳＰ６４）
表示手段１３４は、通信手段１３６に対して、選択されたセット図１５４の送信要求の送信依頼を行う。これに応答して、通信手段１３６は、当該送信要求をサーバ装置２０に送信する。
【０１２３】
（ステップＳＰ６６）
サーバ装置２０の受信手段１４２は、携帯端末４０から、選択されたセット図１５４の送信要求を受信する。これに応答して、受付手段１４４は、当該送信要求を受け付ける（認識する）。
【０１２４】
（ステップＳＰ６８）
検索手段１４６は、記憶手段１４０に記憶されているセット図１５４の中から受付手段１４４が受け付けた送信要求に対応するセット図１５４を取得する。次に、検索手段１４６は、取得したセット図１５４を含むセット図ページを作成する。検索手段１４６は、送信手段１４８に対して、作成したセット図ページの送信依頼を行う。これに応答して、送信手段１４８は、セット図ページを携帯端末４０に送信する。なお、送信手段１４８は、セット図ページではなく、セット図１５４をそのまま送信してもよい。
【０１２５】
（ステップＳＰ７０）
携帯端末４０の通信手段１３６は、サーバ装置２０から、セット図ページを受信する。これに応答して、表示手段１３４は、通信手段１３６が受信したセット図ページを表示する。これにより、全体の処理が完了する。
【０１２６】
図１６は、表示手段１３４が表示するセット図ページの一例を示す図である。
【０１２７】
図１６に示すセット図ページ２５０には、施工者の検索目的となっていたセット図１５４が記載されている。これにより、施工者は、携帯端末４０にて、セット図１５４を見ることができる。
【０１２８】
（ステップＳＰ７２）
表示手段１３４は、検索結果リストにおいて、何れか１つの個別図面１５２が選択（図８中の記載欄１５６ＥのＰＤＦが選択）されたか否か判断する。そして、表示手段１３４は、肯定判断した場合にはステップＳＰ７４の処理に移行し、否定判断した場合にはステップＳＰ６２の処理に戻る。
【０１２９】
（ステップＳＰ７４）
表示手段１３４は、通信手段１３６に対して、選択された個別図面１５２の送信要求の送信依頼を行う。これに応答して、通信手段１３６は、当該送信要求をサーバ装置２０に送信する。
図１０中には記載していないが、サーバ装置２０の受信手段１４２は、携帯端末４０から、選択された個別図面１５２の送信要求を受信する。これに応答して、受付手段１４４は、当該送信要求を受け付ける（認識する）。
検索手段１４６は、記憶手段１４０に記憶されている個別図面１５２の中から受付手段１４４が受け付けた送信要求に対応する個別図面１５２を取得する。次に、検索手段１４６は、送信手段１４８に対して、取得した個別図面１５２の送信依頼を行う。これに応答して、送信手段１４８は、個別図面１５２を携帯端末４０に送信する。
【０１３０】
（ステップＳＰ７６）
携帯端末４０の通信手段１３６は、サーバ装置２０から、個別図面１５２を受信する。これに応答して、表示手段１３４は、通信手段１３６が受信した個別図面１５２を表示する。これにより、全体の処理が完了する。
【０１３１】
―――効果―――
第１実施形態に係る検索システム１０によれば、携帯端末４０の利用者は、例えば水回り商品１１０を施工する現場において、サーバ装置２０から各品番１７４それぞれに関連するセット図１５４を取得することができる（ステップＳＰ７０参照）。この結果、水回り商品１１０毎にあるセット図１５４の中から目的のセット図１５４を自身で検索する手間を省くことができる。
【０１３２】
また、携帯端末４０の利用者は、器具１１２にその識別情報（品番１７４）を示すコード１１４が付されていれば、そのコード１１４を読取手段１３２で読み取ることで、品番１７４を手作業で入力することなく、携帯端末４０からサーバ装置２０に送信することができる。したがって、現場での作業を効率的に行うことができる。
【０１３３】
また、ステップＳＰ１８において、検索手段１４６は、受付手段１４４が第１識別情報としての品番１７４を受け付けた場合、送信手段１４８に対して当該品番１７４に応じたメニューページ１９０に係る情報を送信させるので、施工者は、ステップＳＰ２０において、携帯端末４０にてサーバ装置２０から受信した品番１７４に応じたメニューページ１９０を見ることができる。この結果、品番１７４に応じたメニューページ１９０を施工者自身で検索する手間を省くことができ、現場での作業を効率的に行うことができる。また、メニューページ１９０を見ることができれば、品番１７４が示す器具１１２の個別情報等も容易にアクセス可能となり、水回り商品１１０を施工する現場での作業を効率的に行うことができる。また、サーバ装置２０の受付手段１４４は、メニューページ１９０において検索要求を行うメニュー（施工案内ボタン１９２の先のメニューの組情報ボタン２１２）が選択された場合に、入力として第２識別情報としての品番１７４を受信してそれを受け付け、且つ、検索要求を受け付けるので、サーバ装置２０が、第２識別情報を受信した場合に第１識別情報と誤認識してメニューページ１９０を送信することを抑制できる。
【０１３４】
また、第１実施形態によれば、組情報は、衛生陶器としての便器１１２Ａに係る情報を含む。便器１１２Ａは他の器具１１２に比べて重くなり易いので、現場で検索する手間を省くことができれば、便器１１２Ａを運ぶ時間が短縮化されて、施工者の負担を軽減することができる。
【０１３５】
また、第１実施形態によれば、組情報は、少なくとも２種類の器具１１２のセット図１５４を含むので、施工者は、現場にいながら携帯端末４０においてセット図１５４を見ることで、少なくとも２種類の器具１１２を組み立てて、水回り商品１１０を容易に施工することができるようになる。
【０１３６】
＜第２実施形態＞
次に、本発明の複数の実施形態の一例である第２実施形態に係るプログラム、サーバ装置及び検索システムについて説明する。
【０１３７】
第２実施形態に係るプログラム、サーバ装置及び検索システムの構成は、第１実施形態で説明したものと同様である。したがって、同一の構成には同一の符号を付す。ただし、第２実施形態では、検索システム１０の処理が第１実施形態と異なる。
【０１３８】
第２実施形態に係る検索システムは、第１実施形態の検索システム１０の処理を含み、これに加えて、図１７に示す処理も含む。
【０１３９】
図１７は、第２実施形態に係る検索システムのサーバ装置２０と携帯端末４０が実行する処理のフローチャートである。なお、図１７は、図１０のステップＳＰ７０から続く処理のフローチャートである。
【０１４０】
（ステップＳＰ１００）
表示手段１３４は、セット図ページ２５０を表示している状態で、セット図１５４中の器具１１２の図面が入力手段１３０によって選択されたか否か判断する。そして、表示手段１３４は、肯定判断した場合にはステップＳＰ１０２の処理に移行し、否定判断した場合にはステップＳＰ１００の処理に戻る。
【０１４１】
（ステップＳＰ１０２）
表示手段１３４は、通信手段１３６に対して、選択された器具１１２の図面に対応する器具情報の要求を行う。これに応答して、通信手段１３６は、送信した組情報に関する器具１１２の第２検索要求となる、器具情報の要求をサーバ装置２０に送信する。
【０１４２】
（ステップＳＰ１０４）
サーバ装置２０の受信手段１４２は、携帯端末４０から、器具情報の要求を受信する。これに応答して、受付手段１４４は、当該要求を受け付ける（認識する）。
【０１４３】
（ステップＳＰ１０６）
サーバ装置２０の検索手段１４６は、受付手段１４４が受け付けた器具情報の要求に応答して、記憶手段１４０内のＷｅｂページ１５０や個別図面１５２、施工マニュアル１５８の中から、当該要求に対応する器具情報を検索する。そして、検索手段１４６は、検索して得られた器具情報の送信依頼を送信手段１４８に対して行う。これに応答して、送信手段１４８は、検索して得られた器具情報を、アクセス要求した携帯端末４０に送信する。
【０１４４】
（ステップＳＰ１０８）
携帯端末４０の通信手段１３６は、サーバ装置２０から、器具情報を受信する。これに応答して、表示手段１３４は、通信手段１３６が受信した器具情報を表示する。
【０１４５】
（ステップＳＰ１１０）
表示手段１３４は、器具情報を表示した状態で、既に表示したセット図１５４の再送信要求ボタン（不図示）が入力手段１３０によって押下されたか否か判断する。そして、表示手段１３４は、肯定判断した場合にはステップＳＰ１１２の処理に移行し、否定判断した場合にはステップＳＰ１１０の処理に戻る。
【０１４６】
（ステップＳＰ１１２）
表示手段１３４は、通信手段１３６に対して、セット図１５４の再送信要求の送信依頼を行う。これに応答して、通信手段１３６は、セット図１５４の再送信要求をサーバ装置２０に送信する。
【０１４７】
（ステップＳＰ１１４）
サーバ装置２０の受信手段１４２は、携帯端末４０から、再送信要求を受信する。これに応答して、受付手段１４４は、当該再送信要求を受け付ける（認識する）。
【０１４８】
（ステップＳＰ１１６）
サーバ装置２０の検索手段１４６は、受付手段１４４が受け付けた再送信要求に応答して、記憶手段１４０内のセット図１５４の中から、当該要求に対応するセット図１５４を取得する。この際、検索手段１４６は、再度検索をし直してもよいが、検索時間を省略するという観点から、図１８に示すように、過去に検索したものは記憶手段１４０に履歴２６０を随時記憶しておき、この履歴２６０を用いて、記憶手段１４０内のセット図１５４の中から、当該要求に対応するセット図１５４を取得してもよい。
【０１４９】
次に、検索手段１４６は、取得したセット図１５４を含むセット図ページ２５０を作成する。なお、セット図ページ２５０も履歴２６０の一部として記憶していてもよい。なお、検索手段１４６は、送信手段１４８に対して、作成したセット図ページ２５０の送信依頼を行う。これに応答して、送信手段１４８は、セット図ページ２５０を携帯端末４０に送信する。なお、送信手段１４８は、セット図ページ２５０ではなく、セット図１５４をそのまま送信してもよい。
【０１５０】
（ステップＳＰ１１８）
携帯端末４０の通信手段１３６は、サーバ装置２０から、セット図ページ２５０を受信する。これに応答して、表示手段１３４は、通信手段１３６が受信したセット図ページ２５０を表示する。
【０１５１】
（ステップＳＰ１２０）
表示手段１３４は、表示手段１３４の表示の終了ボタン（不図示）が押下されたか否か判断する。そして、表示手段１３４が肯定判断した場合には全体の処理が完了し、表示手段１３４が否定判断した場合には表示手段１３４はステップＳＰ１００の処理に戻る。
【０１５２】
以上、第２実施形態に係る検索システムによれば、施工者は、得られたセット図１５４の中で例えば品番１７４等が分からない器具１１２があっても、ステップＳＰ１００〜ステップＳＰ１０８の処理に従って、携帯端末４０において第２検索要求を行いその器具１１２の器具情報を受信することで、その器具１１２についてより詳しく知ることができる。
【０１５３】
また、施工者は、得られたセット図１５４の中で例えば品番等が分からない器具が複数あっても、ステップＳＰ１１０〜ステップＳＰ１１８を経て携帯端末４０において再送信要求を行うことでセット図１５４を再度受信し、他の分からない器具１１２について第２検索要求を行ってその器具１１２の器具情報を受信することで、複数の器具１１２全てについてより詳しく知ることができる。
【０１５４】
＜第３実施形態＞
次に、本発明の複数の実施形態の一例である第３実施形態に係るプログラム、サーバ装置及び検索システムについて説明する。
【０１５５】
第３実施形態に係るプログラム、サーバ装置及び検索システムの構成は、第１実施形態で説明したものと同様である。したがって、同一の構成には同一の符号を付す。ただし、第３実施形態では、検索システム１０の処理が第１実施形態と異なる。また、サーバ装置２０は、機能構成としてさらに通知部としての通知手段を備える（不図示）。
【０１５６】
第３実施形態に係る検索システムは、第１実施形態の検索システム１０の処理を含み、これに加えて、図１９に示す処理も含む。
【０１５７】
図１９は、第３実施形態に係る検索システムのサーバ装置２０と携帯端末４０が実行する処理のフローチャートである。なお、図１９は、図１０のステップＳＰ５６中の処理である。
【０１５８】
（ステップＳＰ１３０）
検索手段１４６は、検索の結果、目的のセット図１５４があるか否か判断する。そして、検索手段１４６は、肯定判断した場合にはステップＳＰ１３２の処理に移行し、否定判断した場合（記憶手段１４０に記憶されていなかった場合）にはステップＳＰ５８の処理に移行する。
【０１５９】
（ステップＳＰ１３２）
検索手段１４６は、通知手段に通知依頼を行う。これに応答して、通知手段は、送信手段１４８を介して、携帯端末４０の利用者（施工者）に通知する。通知の内容は、例えば、目的のセット図１５４が無い旨等である。
【０１６０】
（ステップＳＰ１３４）
携帯端末４０の通信手段１３６は、サーバ装置２０から通知を受信する。これに応答して、表示手段１３４は、通信手段１３６が受信した通知を表示する。
【０１６１】
（ステップＳＰ１３６）
通知手段は、上記通知の後、検索条件とされた品番１７４の組み合わせを、記憶手段１４０に記憶する。
【０１６２】
（ステップＳＰ１３８）
通知手段は、品番１７４について同じ組み合わせが記憶手段１４０に５つ記憶されているか否か判断する。そして、通知手段が肯定判断した場合には通知手段はステップＳＰ１４０の処理に移行し、通知手段が否定判断した場合には全体の処理が完了する。
【０１６３】
（ステップＳＰ１４０）
通知手段は、サーバ装置２０の管理者に通知する。通知の内容は、例えば、目的のセット図１５４が無い旨や目的のセット図１５４の作成依頼である。通知の方法としては、例えば、サーバ装置２０の管理者の携帯端末３００にメールしたり、電話したりすること等が挙げられる。
【０１６４】
（ステップＳＰ１４２）
管理者の携帯端末３００は、例えばサーバ装置２０からメールを受信し、そのメールを画面上に表示する。
【０１６５】
以上、本発明の第３実施形態に係る検索システムによれば、施工者にとって必要なセット図１５４をサーバ装置２０の管理者が通知手段により知ることで、そのセット図１５４をサーバ装置２０に早く保存することができる。この結果、施工者は、必要なセット図１５４を早めに知ることができるようになる。
【０１６６】
＜変形例＞
以上、本願の開示する技術の実施形態について説明したが、本願の開示する技術は、上記に限定されるものではない。
【０１６７】
例えば、記憶手段１４０は、サーバ装置２０が備えていなくてもよく、ネットワークＮに接続された図示しないデータベースサーバ内に構築されていてもよい。
【０１６８】
また、サーバ装置２０の機能構成として、例えば、受付手段１４４が携帯端末４０から水回り商品１１０の組み立て順序の作成要求を受け付けた場合、第１識別情報（品番１７４）及び第２識別情報（品番１７４）からこれらに対応する個別情報（個別図面１５２や施工マニュアル１５８）に基づき、水回り商品１１０の組み立て又は解体の順序を作成する作成手段（不図示）を有していてもよい。この場合、送信手段１４８は、作成手段で作成された順序を、携帯端末４０に送信する。これら組み立て順序や解体の順序は、文章で記載されてもよいし、動画に記録されてもよい。なお、動画を作成する場合は、例えば、第１識別情報（品番１７４）及び第２識別情報（品番１７４）の動画を、施工マニュアル１５８に沿って組み合わせて作成する。
この構成によれば、施工者が携帯端末４０において作成要求を行うことで、サーバ装置２０の作成手段及び送信手段１４８が第１識別情報及び第２識別情報からこれらに対応する個別情報に基づき水回り商品１１０の組み立て又は解体の順序を作成して携帯端末４０に送信するので、サーバ装置２０の管理者が当該順序を予め用意しなくても、施工者は、この順序を取得して、これを見ながら施工を行うことができる。
【０１６９】
また、送信手段１４８はさらに、検索手段１４６で検索されたセット図１５４を、検索要求を行った携帯端末４０に送信する場合を説明したが、この携帯端末４０だけでなく、予め登録された宛先にも送信するようにしてもよい。送信手段１４８は、例えば、ある施工者がセット図１５４を検索すると、その施工者の携帯端末だけでなく、同じ現場にいる他の施工者（例えば全て）の携帯端末にも、セット図１５４を送信するようにしてもよい。
【０１７０】
また、第２識別情報としての品番１７４も、施工者が読取手段１３２でコード１１４を読み取ることによって、図１５に示す入力欄２３４に入力する場合を説明したが、入力手段１３０で入力されてもよい。また、第２識別情報は、サーバ装置２０に送信されずに、サーバ装置２０上で、施工者により選択されてもよい。
【０１７１】
また、器具１１２の識別情報は品番１７４である場合を説明したが、器具１１２の名前や製造日時等であってもよい。
【０１７２】
また、前述した各実施の形態が備える各要素は、技術的に可能な限りにおいて組み合わせることができ、これらを組み合わせたものも本発明の特徴を含む限り本発明の範囲に包含される。
【０１７３】
また、第１実施形態に係る検索システム１０の処理は、サーバ装置２０と携帯端末４０の処理で行われる場合を説明したが、検索システム１０の処理の全部又はより多くの処理を携帯端末４０の処理で行うようにしてもよい。例えば、後述する付記２のように、メニュー画面（メニューページ１９０）の表示プログラム等は、携帯端末４０に備えられていてもよい。
【０１７４】
本発明は、例えば以下の付記を含む。
＜付記１＞
水回り商品を構成する複数の種類の器具のうち少なくとも２種類の器具に係る情報を組み合わせた組情報を前記水回り商品毎に記憶し、且つ、各器具の個別情報を記憶した記憶部と、携帯端末と通信するための通信部と、を備えるサーバ装置を、
前記通信部を介して前記携帯端末から、前記器具のうち任意の種類の器具を示す第１識別情報を受信した場合に前記第１識別情報を受け付け、前記第１識別情報が示す器具とは異なる種類の器具を示す第２識別情報の入力を受け付け、且つ、前記組情報の第１検索要求を受け付ける受付手段、
前記受付手段が前記第１検索要求を受け付けた場合、前記記憶部に記憶されている組情報の中から前記第１識別情報と前記第２識別情報とにそれぞれ関連する組情報を検索する検索手段、
前記検索手段で検索された前記組情報を、前記通信部を介して前記携帯端末に送信する送信手段、及び、
前記受付手段が前記携帯端末から前記水回り商品の組み立て順序の作成要求を受け付けた場合、前記第１識別情報及び前記第２識別情報からこれらに対応する前記個別情報に基づき、前記水回り商品の組み立て又は解体の順序を作成する作成手段、
として実現させ、
前記送信手段は、前記作成手段で作成された順序を、前記通信部を介して前記携帯端末に送信する、
プログラム。
【０１７５】
＜付記２＞
表示手段、通信手段、及び１次元以上のコードを読み取る読取手段を備える携帯端末に対して、
水回り商品を構成する複数の種類の器具のうち任意の種類の器具の第１識別情報を示すコードが前記読取手段により読み取られた場合に、前記第１識別情報に応じたメニュー画面を、前記表示手段に表示する第１ステップと、
前記メニュー画面において水回り商品を構成する複数の種類の器具のうち少なくとも２種類の器具に係る情報を組み合わせた組情報の検索要求を行うメニューが選択された場合に、前記組情報のうち前記第１識別情報に関連する組情報を検索するための第１検索画面を前記表示手段に表示する第２ステップと、
前記検索画面を介して、前記第１識別情報が示す器具とは異なる種類の器具の第２識別情報を示すコードが前記読取手段により読み取られた場合に、前記第１識別情報と前記第２識別情報とにそれぞれ関連する前記組情報を検索するための第２検索画面を前記表示手段に表示する第３ステップと、
前記第２検索画面において検索ボタンが押下された場合に、前記第１識別情報と前記第２識別情報と前記組情報の検索要求とを、前記通信手段を介してサーバ装置に送信する第４ステップと、
前記通信手段が前記サーバ装置から前記組情報の検索結果を受信した場合に、前記検索結果を前記表示手段に表示する第５ステップと、
を実行させる前記携帯端末のプログラム。
【符号の説明】
【０１７６】
１０…検索システム
２０…サーバ装置
４０…携帯端末
１００…プログラム
１１０…水回り商品
１１２…器具
１１４…コード
１３２…読取手段
１３４…表示手段
１３６…通信手段
１４０…記憶手段（記憶部）
１４２…受信手段
１４４…受付手段
１４６…検索手段
１４８…送信手段
１５２…個別図面（個別情報）
１５４…セット図（組情報）
１５８…施工マニュアル（組情報又は個別情報）
１７４…品番（第１識別情報又は第２識別情報）
１９０…メニューページ（メニュー画面）
３００…携帯端末（宛先）
【図１】
2016024695.tif 000003
【図２】
2016024695.tif 000004
【図３】
2016024695.tif 000005
【図４】
2016024695.tif 000006
【図５】
2016024695.tif 000007
【図６】
2016024695.tif 000008
【図７】
2016024695.tif 000009
【図８】
2016024695.tif 000010
【図９】
2016024695.tif 000011
【図１０】
2016024695.tif 000012
【図１１】
2016024695.tif 000013
【図１７】
2016024695.tif 000014
【図１９】
2016024695.tif 000015
【図１２】
2016024695.tif 000016
【図１３】
2016024695.tif 000017
【図１４】
2016024695.tif 000018
【図１５】
2016024695.tif 000019
【図１６】
2016024695.tif 000020
【図１８】
2016024695.tif 000021